(57)【要約】【課題】内側に収納する収納物の形状や大きさに応じた出し入れの難易や、使用者の嗜好に応じて開口部の位置を変更することが可能なペンポーチを提供する。【解決手段】長方形状のシート状の底部１０と、底部に連続する４つのシート状の折返し部２１〜２４と、これらに設けられて相互に係脱可能なマグネットＭと、を備え、折返し部２１〜２４のうち、任意の３つを底部１０の一方の面に対向するように折り返し重ね合わせてマグネットＭにより係止することで、底部１０とともにポーチ本体３０を構成し、ポーチ本体３０の取出口３２を開閉する蓋部を、残りの折返し部によって構成することにより、取出口３２を、底部１０の４辺のうちの任意の辺に対応して設けることを可能とした。【選択図】図４
2012005694.tif 000002
【特許請求の範囲】
【請求項１】
四角形状のシート状の底部と、
前記底部の４辺にそれぞれ連続する４つのシート状の折返し部と、
４つの前記折返し部にそれぞれ設けられて相互に係脱可能な係止部と、を備え、
４つの前記折返し部のうち、任意の３つを前記底部の一方の面に対向するように折り返し重ね合わせて前記係止部により係止することで、３つの前記折返し部と前記底部とによってポーチ本体を構成し、前記ポーチ本体における、残りの前記折返し部に対応して開口する筆記具の取出口を開閉する蓋部を、残りの前記折返し部によって構成することにより、前記取出口を、前記底部の４辺のうちの任意の辺に対応して設けることを可能とした、
ことを特徴とするペンポーチ。
【請求項２】
前記底部と４つの前記折返し部とが、展開状態において、１枚のシート状部材によって構成されている、
ことを特徴とする請求項１に記載のペンポーチ。
【請求項３】
前記底部は、一対の長辺と一対の短辺とを有する長方形状に形成され、
４つの前記折返し部のうち、前記長辺に対応する２つの長辺側の折返し部は、前記短辺に対応する２つの短辺側の折返し部よりも、前記底部の周縁に沿った長さが長く形成されている、
ことを特徴とする請求項１または２に記載のペンポーチ。
【請求項４】
２つの前記長辺側の折返し部を折り返して重ね合わせ、これらに一方の前記短辺側の折返し部を折り返して重ね合わせることで、前記ポーチ本体を構成し、残りの前記短辺側の折返し部によって前記蓋部を構成する、
ことを特徴とする請求項３に記載のペンポーチ。
【請求項５】
一方の前記長辺側の折返し部を折り返し、これに２つの前記短辺側の折返し部を折り返して重ね合わせることで、前記ポーチ本体を構成し、残りの前記長辺側の折返し部によって前記蓋部を構成する、
ことを特徴とする請求項３に記載のペンポーチ。
【請求項６】
前記係止部は、一方の面がＮ極、他方の面がＳ極の面状のマグネットによって構成されている、
ことを特徴とする請求項１ないし５のいずれか１項に記載のペンポーチ。
【請求項７】
前記係止部は、一方の面がＮ極、他方の面がＳ極の面状のマグネットと、磁性体とによって構成されている、
ことを特徴とする請求項１ないし５のいずれか１項に記載のペンポーチ。
【請求項８】
前記マグネットは、展開状態における前記シート状部材の一方の面に同極が配置されている、
ことを特徴とする請求項６又は７に記載のペンポーチ。
【請求項９】
前記係止部は、相互に係脱可能な係合凹部及び係合凸部を含むボタンと、透孔とによって構成されている、
ことを特徴とする請求項１ないし５のいずれか１項に記載のペンポーチ。
【請求項１０】
前記係止部は、一方の面がＮ極、他方の面がＳ極の面状のマグネットと、相互に係脱可能な係合凹部及び係合凸部を含むボタンとによって構成されている、
ことを特徴とする請求項１ないし５のいずれか１項に記載のペンポーチ。
【請求項１１】
光透過性の軟質の合成樹脂シートによって構成されている、
ことを特徴とする請求項１ないし１０のいずれか１項に記載のペンポーチ。
【発明の詳細な説明】
【技術分野】
【０００１】
本発明は、筆記具等を出し入れするための開口部（取出口）の位置を変更可能なペンポーチに関する。
【背景技術】
【０００２】
筆記具等を収納して持ち歩くペンポーチにおいて、筆記具等の収納や取り出しに使用される開口部（取出口）は、決まった位置に設定されている。
【０００３】
例えば、特許文献１に開示されているペンポーチ（ペンケース）は、厚みのある長方形状（直方体状）に形成されていて、開口部は、ファスナによって開閉されるように構成されている。このファスナは、長方形状の３辺、すなわち２つの短辺と１つの長辺とに対応するように連続して設けられている。これにより、ファスナのスライド量を調整することで、１つの短辺に対応する開口部、あるいは１つの短辺と１つの長辺とに対応する開口部、さらには、２つの短辺と１つの長辺とに対応する開口部を開閉することが可能であり、中の筆記具を取り出したりする際の開口量を調整することができるようになっている。
【先行技術文献】
【特許文献】
【０００４】
【特許文献１】実用新案登録第３１５３１５３号
【発明の概要】
【発明が解決しようとする課題】
【０００５】
しかしながら、上述の特許文献１によると、その構造上、１つの短辺に対応する開口部のみを開閉することは可能であるものの、１つの長辺に対応する開口部のみを開閉することはできない。このため、内側に収納する収納物、例えば、筆記具等の長尺物、消しゴム等のブロック状のもの等に応じて、開口部を短辺側のみにするか長辺側のみにするか等の選択をすることができない。また、使用者の嗜好に応じて、開口部を変更することもできない。
【０００６】
本発明は、上述した事情に鑑みてなされたものであり、内側に収納する筆記具等の収納物の形状や大きさに応じた出し入れの難易や、使用者の嗜好に応じて取出口（開口部）の位置を変更することが可能なペンポーチを提供することを目的とするものである。
【課題を解決するための手段】
【０００７】
請求項１に係る発明は、ペンポーチにおいて、四角形状のシート状の底部と、前記底部の４辺にそれぞれ連続する４つのシート状の折返し部と、４つの前記折返し部にそれぞれ設けられて相互に係脱可能な係止部と、を備え、４つの前記折返し部のうち、任意の３つを前記底部の一方の面に対向するように折り返し重ね合わせて前記係止部により係止することで、３つの前記折返し部と前記底部とによってポーチ本体を構成し、前記ポーチ本体における、残りの前記折返し部に対応して開口する筆記具の取出口を開閉する蓋部を、残りの前記折返し部によって構成することにより、前記取出口を、前記底部の４辺のうちの任意の辺に対応して設けることを可能とした、ことを特徴とする。
【０００８】
請求項２に係る発明は、請求項１に係るペンポーチにおいて、前記底部と４つの前記折返し部とが、展開状態において、１枚のシート状部材によって構成されている、ことを特徴とする。
【０００９】
請求項３に係る発明は、請求項１または２に係るペンポーチにおいて、前記底部は、一対の長辺と一対の短辺とを有する長方形状に形成され、４つの前記折返し部のうち、前記長辺に対応する２つの長辺側の折返し部は、前記短辺に対応する２つの短辺側の折返し部よりも、前記底部の周縁に沿った長さが長く形成されている、ことを特徴とする。
【００１０】
請求項４に係る発明は、請求項３に係るペンポーチにおいて、２つの前記長辺側の折返し部を折り返して重ね合わせ、これらに一方の前記短辺側の折返し部を折り返して重ね合わせることで、前記ポーチ本体を構成し、残りの前記短辺側の折返し部によって前記蓋部を構成する、ことを特徴とする。
【００１１】
請求項５に係る発明は、請求項３に係るペンポーチにおいて、一方の前記長辺側の折返し部を折り返し、これに２つの前記短辺側の折返し部を折り返して重ね合わせることで、前記ポーチ本体を構成し、残りの前記長辺側の折返し部によって前記蓋部を構成する、ことを特徴とする。
【００１２】
請求項６に係る発明は、請求項１ないし５のいずれか１項に係るペンポーチにおいて、前記係止部は、一方の面がＮ極、他方の面がＳ極の面状のマグネットによって構成されている、ことを特徴とする。
【００１３】
請求項７に係る発明は、請求項１ないし５のいずれか１項に係るペンポーチにおいて、前記係止部は、一方の面がＮ極、他方の面がＳ極の面状のマグネットと、磁性体とによって構成されている、ことを特徴とする。
【００１４】
請求項８に係る発明は、請求項６又は７に係るペンポーチにおいて、前記マグネットは、展開状態における前記シート状部材の一方の面に同極が配置されている、ことを特徴とする。
【００１５】
請求項９に係る発明は、請求項１ないし５のいずれか１項に係るペンポーチにおいて、前記係止部は、相互に係脱可能な係合凹部及び係合凸部を含むボタンと、透孔とによって構成されている、ことを特徴とする。
【００１６】
請求項１０に係る発明は、請求項１ないし５のいずれか１項に係るペンポーチにおいて、前記係止部は、一方の面がＮ極、他方の面がＳ極の面状のマグネットと、相互に係脱可能な係合凹部及び係合凸部を含むボタンとによって構成されている、ことを特徴とする。
【００１７】
請求項１１に係る発明は、請求項１ないし１０のいずれか１項に係るペンポーチにおいて、光透過性の軟質の合成樹脂シートによって構成されている、ことを特徴とする。
【発明の効果】
【００１８】
請求項１の発明によれば、ポーチ本体の取出口を、前記底部の４辺のうちの任意の辺に対応して設けることができるので、内側に収納する筆記具等の形状や大きさに応じた出し入れの難易や、使用者の嗜好に応じて取出口の位置（蓋部として使用する折返し部）を変更することができる。
【００１９】
請求項２の発明によれば、１枚のシート状部材の一部を折り返したりすることにより、底部と３つの折返し部とを有するポーチ本体と、ポーチ本体の取出口を開閉する蓋部とを構成することができる。
【００２０】
請求項３の発明によれば、ポーチ本体に収納する筆記具の形状に対応して、細長いポーチ本体を構成することができる。
【００２１】
請求項４の発明によれば、２つの長辺側の折返し部と１つの（一方の）短辺側の折返し部とによってポーチ本体を構成し、残りの（他方の）短辺側の折返し部によって、ポーチ本体の取出口を開閉する蓋部を構成することができる。この構成によれば、取出口の開口長さが短くなるので、ポーチ本体に対する筆記具の収納時、また、取り出し時に、対象となる筆記具以外の筆記具等が不要に落下しにくい。なお、この構成によれば、２つの長辺側の折返し部はそのままで、２つの短辺側の折返し部のうち、いずれの折返し部も蓋部として使用することが可能である。
【００２２】
請求項５の発明によれば、１つの（一方の）長辺側の折返し部と２つの短辺側の折返し部とによってポーチ本体を構成し、残りの（他方の）長辺側の折返し部によって、ポーチ本体の取出口を開閉する蓋部を構成することができる。この構成によれば、取出口の開口長さを長く確保することができるので、ポーチ本体に対する筆記具の収納、また、取り出しが容易となる。
【００２３】
請求項６の発明によれば、マグネットにより、２つの折返し部を簡単に係脱させることができる。
【００２４】
請求項７の発明によれば、一部、マグネットに代えて、磁性体を使用することができる。
【００２５】
請求項８の発明によれば、複数の折返し部を折り返して重ね合わせて係合させる際に、隣接して重なる折返し部のそれぞれのマグネットは、Ｎ極とＳ極とが対向されるので、くっつけることが可能となる。
【００２６】
請求項９の発明によれば、ボタンにより、２つの折返し部を確実に係合させることができる。
【００２７】
請求項１０の発明によれば、折返し部について、ボタンによって確実に係合させるものと、マグネットによって係脱を容易に行えるものとを設ける（使い分ける）ことができる。
【００２８】
請求項１１の発明によれば、折返し部の折り返しや、引き延ばしが容易であるため、取出口の変更が容易であり、また、ポーチ本体内に収納された筆記具を外部から視認することができる。
【図面の簡単な説明】
【００２９】
【図１】シート状に展開した状態のペンポーチ１を、内面（一方の面）１ａ側から見た図である。
【図２】シート状に展開した状態のペンポーチ１を、外面（他方の面）１ｂ側から見た図である。
【図３】（Ａ），（Ｂ），（Ｃ）は、この順に、図１中のＡ−Ａ線矢視図、Ｂ−Ｂ線矢視図、Ｃ−Ｃ線矢視図である。
【図４】（Ａ），（Ｂ）は、シート状部材を折り返して、ペンポーチ１を構成する例を説明する図である。
【図５】（Ａ），（Ｂ）は、シート状部材を折り返して、ペンポーチ１を構成する他の例を説明する図である。
【図６】シート状に展開した状態のペンポーチ２を、内面（一方の面）２ａ側から見た図である。
【図７】シート状に展開した状態のペンポーチ２を、外面（他方の面）２ｂ側から見た図である。
【図８】（Ａ），（Ｂ），（Ｃ）は、この順に、図６中のＡ−Ａ線矢視図、Ｂ−Ｂ線矢視図、Ｃ−Ｃ線矢視図である。
【図９】（Ａ），（Ｂ）は、シート状部材を折り返して、ペンポーチ２を構成する例を説明する図である。
【図１０】（Ａ），（Ｂ）は、シート状部材を折り返して、ペンポーチ２を構成する他の例を説明する図である。
【発明を実施するための形態】
【００３０】
以下、本発明の実施形態を図面に基づき詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００３１】
図１〜図５を参照して、本発明を適用した実施形態１に係るペンポーチ１について説明する。
【００３２】
図１は、シート状に展開した状態のペンポーチ１を、内面（一方の面）１ａ側から見た図である。また、図２は、シート状に展開した状態のペンポーチ１を、外面（他方の面）１ｂ側から見た図である。また、図３（Ａ），（Ｂ），（Ｃ）は、この順に、図１中のＡ−Ａ線矢視図、Ｂ−Ｂ線矢視図、Ｃ−Ｃ線矢視図である。
【００３３】
図１，図２に示すように、ペンポーチ１は、四角形状のシート状の底部１０と、４つのシート状の折返し部２１，２２，２３，２４と、これら折返し部２１〜２４に設けられた係止部Ｋとを備えて構成されている。図示例では、係止部Ｋとして、複数のマグネット２１ａ，２１ｂ，２１ｃ，２２ａ，２２ｂ，２２ｃ，２３ａ，２４ｃが使用されている。なお、複数のマグネットを特に区別する必要がない場合や、総称する場合には、適宜、マグネットＭというものとする。
【００３４】
底部１０は、長方形状のシート状に形成されていて、一対の長辺１１，１２（二点鎖線で図示）と一対の短辺１３，１４（二点鎖線で図示）とによって周縁（４周）が形成されている。ここで、２つの長辺１１，１２のそれぞれの中点を通る直線を中心線Ｃ１とし、また、２つの短辺１３，１４のそれぞれの中点を通る直線を中止線Ｃ２とする。
【００３５】
折返し部２１，２２，２３，２４は、それぞれ底部１０の長辺１１，１２、短辺１３，１４に連続するように設けられている。折返し部２１，２２，２３，２４は、略長方形状に形成されていて、外側の２つの角部が丸く形成されている。折返し部２１，２２，２３，２４は、それぞれ基端部が底部１０の長辺１１，１２、短辺１３，１４に連続するとともに、それぞれの先端２１ｓ，２２ｓ，２３ｓ，２４ｓが外側に延びるように形成されている。４つの折返し部２１，２２，２３，２４のうち、２つの折返し部２１，２２は、底部１０の長辺１１，１２に対応して設けられ、また、２つの折返し部２３，２４は、底部１０の短辺１３，１４に対応して設けられている。
【００３６】
ここで、折返し部２１，２２における、底部１０の長辺１１，１２に沿った寸法、及び折返し部２３，２４における、底部１０の短辺１３，１４に沿った寸法をそれぞれ長さ（周縁に沿った長さ）とすると、折返し部２１，２２の長さは、長辺１１，１２の長さと略同じに設定され、折返し部２３，２４の長さは、短辺１３，１４の長さと略同じに設定されていて、折返し部２１，２２の長さは、折返し部２３，２４の長さよりも長く設定されている。
【００３７】
折返し部２１，２２，２３，２４における、長さに直交する方向の寸法を幅とすると、折返し部２１，２２の幅（それぞれの長辺１１，１２からそれぞれの先端２１ｓ，２２ｓまでの距離）は、底部１０の短辺１３，１４よりも短く、かつ、短辺１３，１４の２分の１よりも長く設定されている。このため、後述するように、折返し部２１，２２を、その基端部近傍で湾曲させて、折返し部２１，２２の内面１ａ，１ａが底部１０の内面１ａに対向するように折り返すと、それぞれの先端２１ｓ，２２ｓ側が、底部１０の中心線Ｃ２に対応する位置で帯状に重なるようになっている。後述するマグネット２１ａ，２１ｂ，２１ｃ、２２ａ，２２ｂ，２２ｃは、この重なる部分に設けられている。
【００３８】
短辺１３，１４に対応する折返し部２３，２４の幅（それぞれの短辺１３，１４からそれぞれの先端２３ｓ，２４ｓまでの距離）は、底部１０の長辺１１，１２の２分の１よりも短く設定されている。このため、後述するように、折返し部２３，２４をそれぞれの基端部近傍で湾曲させて、折返し部２３，２４の内面１ａ，１ａが底部１０の内面１ａに対向するように折り返した場合でも、短辺１３，１４のそれぞれの先端２３ｓ，２４ｓ側は、重ならないようになっている。
【００３９】
以上説明した底部１０及び４つの折返し部２１〜２４は、図１，図２の展開図に示すように、１枚のシート状部材、例えば、光透過性を有する軟質の合成樹脂シート（例えば、ビニール）によって構成することができる。ここで、光透過性とは、透明及び半透明、すなわち、後述するように、ペンポーチ１を構成して、内側に筆記具等（不図示）を収納した際に、外部から内側の筆記具等が視認できるものをいい、無色のものに限定されず、着色されたものも含む。また、合成樹脂シートの厚さについては、材質自体の硬さにもよるが、例えば、一般的な紙のようには薄くなく、したがって、紙のように折曲することはできないが、適度に湾曲することが可能であり、さらに、ペンポーチ１を構成した際に、その形状を保持できる程度の厚さが好ましい。なお、合成樹脂シートの厚さが厚いほど、ペンポーチ１を構成した際に、ペンポーチ１自体の厚さ（膨らみ）が厚くなる。なお、シート状部材としては、ビニール等の軟質の合成樹脂シート以外に、例えば、タオル地、布地、ゴム、合成紙、あるいはこれらを積層したものを使用することもできる。つまり、シート状部材の材質としては、適宜に湾曲（折曲）することができるものであれば、任意の素材を使用することができる。
【００４０】
係止部Ｋは、複数のマグネットＭ、すなわち、折返し部２１に設けられたマグネット２１ａ〜２１ｃ、折返し部２２に設けられたマグネット２２ａ〜２２ｃ、折返し部２３に設けられたマグネット２３ａ、折返し部２４に設けられたマグネット２４ｃによって構成されている。各マグネットＭは、円板状に形成されていて、一方の面にＮ極を有し、他方の面にＳ極を有している。それぞれのマグネットＭは、ペンポーチ１の内面１ａ側に向けて同じ極（例えば、Ｎ極）を向けるようにして、ペンポーチ１に組み込まれている。すなわち、それぞれのマグネットＭは、図３（Ａ），（Ｂ），（Ｃ）においては、ペンポーチ１の内面１ａとなる上側に向けてＮ極が、また、ペンポーチ１の外面１ｂとなる下側に向けてＳ極が配置されている。もちろん、Ｎ極とＳ極との向きは、すべてのマグネットＭが逆であってもよい。それぞれのマグネットＭは、このように、ペンポーチ１の展開状態において、同じ向きに同じ極が向くように配置することにより、後述するように各折返し部２１〜２４を折り返して重ね合わせた際に、隣接するマグネットＭの異極相互が対向するようになっている。
【００４１】
マグネット２１ａ，２１ｂ，２１ｃは、折返し部２１の先端２１ｓ寄りに設けられ、このうち、マグネット２１ｂは、折返し部２１の長さ方向の中心（中心線Ｃ１上）に配置され、マグネット２１ａ，２１ｃはそれぞれ長さ方向の両端部近傍に配置されている。これらマグネット２１ａ，２１ｂ，２１ｃは、折返し部２１を基端部近傍（長辺１１近傍）から折り返した際に、略中心線Ｃ２の上方に位置するようになっている。
マグネット２２ａ，２２ｂ，２２ｃは、中心線Ｃ２を基準として、マグネット２１ａ，２１ｂ，２１ｃと線対称の位置に設けられている。すなわち、マグネット２２ａ，２２ｂ，２２ｃは、折返し部２２の先端２２ｓ寄りに設けられ、このうち、マグネット２２ｂは、折返し部２２の長さ方向の中心（中心線Ｃ１上）に配置され、マグネット２２ａ，２２ｃはそれぞれ長さ方向の両端部近傍に配置されている。これらマグネット２２ａ，２２ｂ，２２ｃは、折返し部２２を基端部近傍（長辺１２近傍）から折り返した際に、略中心線Ｃ２の上方に位置するようになっている。
【００４２】
マグネット２３ａは、折返し部２３の先端２３ｓ寄りで、かつ、折返し部２３の長さ方向の中心（中心線Ｃ２上）に配置されている。マグネット２３ａは、折返し部２３を折り返した際の位置が、折返し部２１又は折返し部２２が折り返された際のマグネット２１ａ又はマグネット２２ａの位置に略一致するようになっている。
【００４３】
マグネット２４ｃは、折返し部２４の先端２４ｓ寄りで、かつ、折返し部２４の長さ方向の中心（中心線Ｃ２上）に配置されている。マグネット２４ｃは、折返し部２４を折り返した際の位置が、折返し部２１又は折返し部２２が折り返された際のマグネット２１ｃ又はマグネット２２ｃの位置に略一致するようになっている。
【００４４】
図４（Ａ），（Ｂ）は、シート状部材を折り返して、ペンポーチ１を構成する例を説明する図である。図４（Ａ）に示すように、まず、折返し部２１を、底部１０の内面１ａ（図１参照）に対向するように、基端部近傍から折り返す。次に、折返し部２３，２４をそれぞれ基端部近傍から折り返して、折返し部２１に重ねる。これにより、折返し部２３のマグネット２３ａ、折返し部２４のマグネット２４ｃの位置が、それぞれ折返し部２１のマグネット２１ａ，２１ｃに対応（一致）し、また、マグネット２３ａ，２４ｃのＮ極が、それぞれマグネット２１ａ，２１ｃのＳ極に対応するため、マグネット２１ａとマグネット２３ａとを、また、マグネット２１ｃとマグネット２４ｃとを磁力によりくっつけることができる。以上により、底部１０と、３つの折返し部２１，２３，２４とにより、内側に収納部を有するポーチ本体３０を構成することができる。
【００４５】
この場合、収納部に対して筆記具等を収納したり、収納部から筆記具等を取り出したりするための取出口（開口部）３２は、残りの１つの折返し部２２に対応する位置に設けられる。この取出口３２は、図４（Ｂ）に示すように、折返し部２２を、その基端部近傍から折り返えして、折返し部２１，２３，２４に重ねることで閉鎖することができる。つまり、折返し部２２を蓋部として使用することができる。この際、蓋部となる折返し部２２のマグネット２２ａ，２２ｂ，２２ｃの位置は、この順に、ポーチ本体３０側の折返し部２３のマグネット２３ａ、折返し部２１のマグネット２１ｂ、折返し部折り２４のマグネット２４ｃに一致し、かつ、折返し部２２のマグネット２２ａ，２２ｂ，２２ｃのＮ極が、ポーチ本体３０側のマグネット２３ａ，２１ｂ，２４ｃのＳ極に対向するので、これらを磁力によるくっつけることが可能となる。なお、ポーチ本体３０の取出口３２を開放するには、蓋部としての折返し部２２を、磁力に抗して開放することにより、取出口３２を容易に開放することができる。
【００４６】
以上のように、ペンポーチ１は、底部１０と３つの折返し部２１，２３，２４とによってポーチ本体３０を構成し、残りの折返し部２２によって蓋部を構成することができる。
以上の説明では、はじめに折返し部２１を折り返し、次に折返し部２３，２４を折り返して、残りの折返し部２２を蓋部とした。これに代えて、はじめに折返し部２２を折り返し、次に折返し部２３，２４を折り返すようにすれば、残りの折返し部２１を蓋部として使用することができる。
【００４７】
図５（Ａ），（Ｂ）は、シート状部材を折り返して、ペンポーチ１を構成する他の例を説明する図である。図５（Ａ）に示すように、まず、折返し部２１を、底部１０の内面１ａ（図１参照）に対向するように、基端部近傍から折り返す。次に、折返し部２２を基端部近傍から折り返して、折返し部２１に重ね合わせ、折返し部２１のマグネット２１ａ，２１ｂ，２１ｃに、折返し部２２のマグネット２２ａ，２２ｂ，２２ｃをくっつける。次に、折返し部２４を折り返して、マグネット２４ｃをマグネット２２ｃにくっつける。これにより、底部１０と３つの折返し部２１，２２，２４とによってポーチ本体３０を構成することができる。ポーチ本体３０は内側に収納部を有し、この収納部は、残りの１つの折返し部２３に対応して開口する取出口（開口部）３３を有する。
【００４８】
この取出口３３は、図５（Ｂ）に示すように、残りの折返し部２３を折り返して、そのマグネット２３ａをマグネット２２ａにくっつけることで閉鎖することができ、一方、マグネット２３ａ，２２ａの磁力に抗して折返し部２３を開放することにより開放することができる。つまり、折返し部２３が蓋部として作用する。
【００４９】
なお、図５（Ｂ）からも明らかなように、折返し部２３を、ポーチ本体３０を構成するために使用して、折返し部２４を蓋部として使用することもできる。
【００５０】
以上説明したように、本実施形態によれば、底部１０と４つの折返し部２１〜２４のうちの任意の３つとによって、ポーチ本体３０を構成し、残りの１つの折返し部によって、蓋部を構成することができる。別な言い方をすれば、４つの折返し部２１〜２４のうち、任意の１つを蓋部として使用することができる。そして、蓋部として、底部１０の長辺１１又は長辺１２に対応する折返し部２１又は折返し部２２を使用する場合には、長辺１１又は長辺１２に対応した開口長の長い取出口３２等を確保することができるため、収納部に対する筆記具等の出し入れが容易となる。一方、蓋部として、底部１０の短辺１３又は短辺１４に対応する折返し部２３又は折返し部２４を使用する場合には、短辺１３又は短辺１４に対応した開口長の短い取出口３３等を確保することができるため、収納部に対する筆記具等の出し入れ時に他の筆記具等が不要に落下したりするおそれが少ない。
【００５１】
さらに、本実施形態によれば、係止部Ｋとして、マグネットＭを使用しているので、シート状部材を表裏反転した状態（内面１ａと外面１ｂとを逆にした状態）で、ペンポーチ１を成形することができる。つまり、４つの折返し部２１〜２４の折り返す方向を逆にして、ペンポーチ１を構成することができる。また、同様に、係止部ＫをマグネットＭで構成しているため、底部１０と、３つの折返し部とによってポーチ本体３０を構成する際の、３つの折返し部の折り返し順は、任意とすることができる。
【００５２】
なお、以上では、展開状態のペンポーチ１が、中心線Ｃ１、及び中心線Ｃ２に対して線対称である例を説明した。この場合には、形状的には、折返し部２１，２２のいずれを蓋部として使用しても、また、折返し部２３，２４のいずれを蓋部として使用しても同様であるが、例えば、４つの折返し部２１〜２４を異なる４色で着色するようにすれば、４つの折返し部２１〜２４のうちのいずれを蓋部とするかによって、着色に基づくデザインが大きく異なる。この点は、ポーチ本体３０を構成する際の３つの折返し部の折り返しを変えることについても同様に、デザインが異なる。
【００５３】
次に、以上の実施形態の変形例について説明する。
【００５４】
係止部Ｋを構成する複数のマグネットＭの一部を、適宜、鉄等の磁性体（強磁性体）に置き換えることも可能である。例えば、マグネット２１ｂ，２２ｂの一方を強磁性体に置き換えてもよい。
【００５５】
また、図４（Ａ）に示す取出口３２の開口長が短い場合には、マグネット２１ｂ，２２ｂを省略してもよい。
【００５６】
また、上述では、底部１０の形状が長方形状である場合を例に説明したが、これに代えて、正方形状であってもよい。この場合には、例えば、底部の各辺に連続して図４（Ａ）に示す折返し部２３と同様の折返し部を設け、その折返し部２３の幅が、底部の辺の２分の１以上の長さとなるようにするとともに、折返し部２３を折り返した際に、そのマグネット２３ａが、底部の中心の上方に位置するようにする。このような構成を採用すると、４つの折返し部のうちいずれを蓋部として使用した場合でも、使い勝手は略同じとなる。したがって、例えば、蓋部として使用する折返し部を適宜、ローテーションすることにより、１つの折返し部のみを蓋部として使用する不具合、例えば、反復開閉による疲労に起因する破損を防止することができる。
＜実施形態２＞
【００５７】
図６〜図１０を参照して、本発明を適用した実施形態２に係るペンポーチ２について説明する。
【００５８】
ここで、図６は、シート状に展開した状態のペンポーチ２を、内面（一方の面）２ａ側から見た図である。また、図７は、シート状に展開した状態のペンポーチ２を、外面（他方の面）２ｂ側から見た図である。また、図８（Ａ），（Ｂ），（Ｃ）は、この順に、図６中のＡ−Ａ線矢視図、Ｂ−Ｂ線矢視図、Ｃ−Ｃ線矢視図である。
【００５９】
なお、図６，図７に示すように、本実施形態に係るペンポーチ２の底部５０、長辺５１，５２、短辺５３，５４、折返し部６１，６２，６３，６４は、この順に、図１，図２に示す実施形態１に係るペンポーチ１の底部１０，長辺１１，１２，短辺１３，１４、折返し部２１，２２，２３，２４と同様であるので、これらについての説明は適宜省略する。本実施形態では、係止部Ｋとして、実施形態１ではマグネットＭを使用していたのとは異なり、係止部Ｋをボタン及び透孔によって構成している。なお、ペンポーチ２における係止部Ｋの位置については、ペンポーチ１の係止部Ｋの位置と同様である。
【００６０】
図６，図７に示すように、折返し部６１には、係止部Ｋとして、係合凸部を外面２ｂ側に向けたボタン６１ａ，６１ｂ，６１ｃが設けられている。また、折返し部６２には、係止部Ｋとして、長辺５２に沿った中央に対応して、係合凹部を内面２ａ側に向けたボタン６２ｂが、また、長辺５２の長手方向の両端部に対応して、それぞれ透孔６２ａ，６２ｃが設けられている。そして、折返し部６３，６４には、それぞれボタン６２ｂと同様に、係合凹部を内面２ａ側に向けたボタン６３ａ，６４ｃが設けてある。
【００６１】
図９（Ａ），（Ｂ）は、シート状部材を折り返して、ペンポーチ２を構成する例を説明する図である。図９（Ａ）に示すように、まず、折返し部６１を、底部６０の内面２ａ（図６参照）に対向するように、基端部近傍から折り返す。次に、折返し部６３，６４をそれぞれ基端部近傍から折り返して、折返し部６１に重ねる。これにより、折返し部６３のボタン６３ａ、折返し部６４のボタン６４ｃの位置が、それぞれ折返し部６１のボタン６１ａ，６１ｃに対応（一致）し、また、ボタン６３ａ，６４ｃの係合凹部が、ボタン６１ａ，６１ｃの係合凸部に対応するため、これらを係合（嵌合）させることができる。以上により、底部５０と、３つの折返し部６１，６３，６４とにより、内側に収納部を有するポーチ本体７０を構成することができる。
【００６２】
この場合、収納部に対して筆記具等を収納したり、収納部から筆記具等を取り出したりするための取出口（開口部）７２は、残りの１つの折返し部６２に対応する位置に設けられる。この取出口７２は、図４（Ｂ）に示すように、折返し部６２を、その基端部近傍から折り返えして、折返し部６１，６３，６４に重ねることで閉鎖することができる。つまり、折返し部６２を蓋部として使用することができる。この際、蓋部となる折返し部６２の透孔６２ａ、ボタン６２ｂ、透孔６２ｃの位置は、この順に、ポーチ本体７０側の折返し部６３のボタン６３ａ、折返し部６１のボタン６１ｂ、折返し部折り６４のボタン６４ｃに一致し、かつ、折返し部２２のボタン６２ｂの係合凹部が、ポーチ本体７０側のボタン６１ｂの係合凸部に対向するので、これらを係合（嵌合）させることが可能となる。なお、ポーチ本体３０の取出口７２を開放するには、蓋部としての折返し部６２を、ボタン６２ｂ，６１ｂの係合を解除することで容易に開放することができる。
【００６３】
以上のように、ペンポーチ２は、底部５０と３つの折返し部６１，６３，６４とによってポーチ本体７０を構成し、残りの折返し部６２によって蓋部を構成することができる。
【００６４】
図１０（Ａ），（Ｂ）は、シート状部材を折り返して、ペンポーチ２を構成する他の例を説明する図である。図１０（Ａ）に示すように、まず、折返し部６１を、底部５０の内面２ａ（図６参照）に対向するように、基端部近傍から折り返す。次に、折返し部６２を基端部近傍から折り返して、折返し部６１に重ね合わせ、折返し部６１のボタン６１ｂに、折返し部６２のボタン６２ｂを係合させる。このとき、折返し部６１のボタン６１ａ，６１ｃは、折返し部６２の透孔６２ａ，６２ｃを介して露出される。つまり、ボタン６１ａ，６１ｃの係合凸部が、透孔６２ａ，６２ｃを貫通する。次に、折返し部６４を折り返して、ボタン６４ｃを、透孔６２ｃを介して、ボタン６１ｃに係合させる。これにより、底部５０と３つの折返し部６１，６２，６４とによってポーチ本体７０を構成することができる。ポーチ本体７０は内側に収納部を有し、この収納部は、残りの１つの折返し部６３に対応して開口する取出口（開口部）７３を有する。
【００６５】
この取出口７３は、図５（Ｂ）に示すように、残りの折返し部６３を折り返して、そのボタン６３ａを、透孔６２ａを介して、ボタン６１ａに係合させることができ、一方、係合を解除して折返し部６３を開放することにより開放することができる。つまり、折返し部６３が蓋部として作用する。
【００６６】
なお、図１０（Ｂ）からも明らかなように、折返し部６３を、ポーチ本体７０を構成するために使用して、折返し部６４を蓋部として使用することもできる。
【００６７】
以上説明したように、本実施形態によれば、図９に示すように、開口長の長い取出口７２を確保すべく、折返し部６２を蓋部として使用することができ、また、図１０に示すように、開口長の短い取出口７３を確保すべく、折返し部６３を蓋部として使用することもできる。
＜実施形態３＞
【００６８】
図１，図６を参照して、本発明を適用した実施形態３に係るペンポーチについて説明する。本実施形態では、係止部Ｋとして、マグネットとボタンとを組み合わせて使用している。
【００６９】
本実施形態のペンポーチは、図１（Ａ）に示すペンポーチ１において、マグネット２１ｂに代えて、図６（Ａ）に示すボタン６１ｂを使用し、また、マグネット２２ｂに代えて、図６（Ａ）に示すボタン６２ｂを使用したものである。なお、上述のように、ボタン６１ｂは、外面２ｂに向いた係合凸部を有し、ボタン６２ｂは、内面に向いた係合凹部を有していて、これら係合凸部と係合凹部とを係合（嵌合）させた際には、マグネット２１ｂ，２２ｂをくっつけた際の磁力による接合力よりも、強い接合力（係合力）を発揮するものとする。つまり、ボタン６１ｂ，６２ｂの方が、マグネット２１ｂ，２２ｂよりも外れにくいものとする。
【００７０】
上述構成において、折返し部２３又は折返し部２４を蓋部として使用する際には、折返し部２１，２２を折り返して、マグネット２１ａ，２１ｃにマグネット２２ａ，２２ｃにくっつけるのに加えて、上述のボタン６１ｂ，６２ｂを係合させる。これにより、マグネットのみの場合と比較して、折返し部２１，２２が不要に外れることを確実に防止することができる。
【００７１】
これに対し、折返し部２２を蓋部として使用する際には、これらのボタン６１ｂ，６２ｂを係合させることなく、図４（Ａ），（Ｂ）に示すように、折返し部２２のマグネット２２ａ，２２ｃ及びポーチ本体３０側のマグネット２３ａ，２４ｃを使用することで、折返し部２２の開閉を容易にすることが可能となる。なお、この場合でも、例えば、ペンポーチをバックやかばんに入れて持ち運びする際等に、折返し部２２による閉蓋を確実にしたいときには、折返し部２２のボタン６２ｂを、ポーチ本体３０側のボタン６１ｂに係合させるようにしてもよい。
【００７２】
以上のように、係止部Ｋに必要な接合力の大小や、開閉動作の難易に応じて、ボタンとマグネットとを使い分けるようにしてもよい。
【符号の説明】
【００７３】
１  実施形態１のペンポーチ
１ａ，２ａ  内面（一方の面）
１ｂ，２ｂ  外面（他方の面）
２  実施形態２のペンポーチ
１０，５０  底部
１１，１２，５１，５２  長辺（周縁）
１３，１４，５３，５４  短辺（周縁）
２１〜２４、６１〜６４  折返し部
２１ａ〜２１ｃ、２２ａ〜２２ｃ、２３ａ，２４ｃ  マグネット
３０，７０  ポーチ本体
３２，３３，７２，７３  取出口
６１ａ〜６１ｃ，６２ｂ，６３ａ，６４ｃ  ボタン
６２ａ，６２ｃ  透孔
Ｋ  係止部
Ｍ  マグネット
【図１】
2012005694.tif 000003
【図２】
2012005694.tif 000004
【図３】
2012005694.tif 000005
【図４】
2012005694.tif 000006
【図５】
2012005694.tif 000007
【図６】
2012005694.tif 000008
【図７】
2012005694.tif 000009
【図８】
2012005694.tif 000010
【図９】
2012005694.tif 000011
【図１０】
2012005694.tif 000012